(57)【要約】      （修正有）【課題】少ない労力で間仕切パネルと壁部との隙間を閉塞可能な移動間仕切装置を提供する。【解決手段】誘導路３に沿って移動可能な複数の間仕切パネルと、側部閉塞部材２０を連接方向に進退可能に保持する側部閉塞装置２と、を備え、連接された複数の間仕切パネルと側部閉塞部材２０とにより空間を仕切る移動間仕切装置であって、側部閉塞装置２は、パネル部材の面に沿って回動可能に軸支される複数の回動体２７，２７と、複数の回動体２７，２７それぞれの一端部が回動可能に軸支され複数の回動体２７，２７を連結するリンク部材２９と、複数の回動体２７，２７それぞれの他端部に回動可能に軸支され複数の回動体２７，２７の回動に応じて側部閉塞部材２０を連接方向に押すまたは引く押引手段２６，２８，２８と、を具備する側部進退機構２５を有している。【選択図】図７
2019143338.tif 000002
【特許請求の範囲】
【請求項１】
所定間隔離間して対向配置される一対のパネル部材を有し、天井に設けられる誘導路に一対の吊支部材を介して吊支され、該誘導路に沿って移動可能な複数の間仕切パネルと、側部閉塞部材を連接方向に進退可能に保持する側部閉塞装置と、を備え、連接された複数の前記間仕切パネルと前記側部閉塞部材とにより空間を仕切る移動間仕切装置であって、
前記側部閉塞装置は、前記パネル部材の面に沿って回動可能に軸支される複数の回動体と、複数の前記回動体それぞれの一端部が回動可能に軸支され複数の前記回動体を連結するリンク部材と、複数の前記回動体それぞれの他端部に回動可能に軸支され該複数の回動体の回動に応じて前記側部閉塞部材を前記連接方向に押すまたは引く押引手段と、を具備する側部進退機構を有していることを特徴とする移動間仕切装置。
【請求項２】
前記側部閉塞装置は、一対の前記パネル部材の間に配設され、
一つの前記回動体は、該回動体を回動操作するための操作部が前記パネル部材に露出していることを特徴とする請求項１に記載の移動間仕切装置。
【請求項３】
前記押引手段は、一端部が前記回動体の他端部に回動可能に軸支される複数のアーム体と、複数の前記アーム体それぞれの他端部が回動可能に軸支され該複数のアーム体の他端部と連動可能な押引体と、を有し、前記押引体は、前記側部閉塞部材と接続されていることを特徴とする請求項１または２に記載の移動間仕切装置。
【請求項４】
前記回動体の軸支部分、該回動体と前記アーム体との軸支部分、及び、該アーム体と前記押引体との軸支部分は、該回動体の回動に応じて少なくとも直線に並ぶことを特徴とする請求項３に記載の移動間仕切装置。
【請求項５】
前記押引手段と前記側部閉塞部材とは、間に緩衝部材を介在させて取り付けられていることを特徴とする請求項１ないし４のいずれかに記載の移動間仕切装置。
【請求項６】
前記側部閉塞部材と前記側部閉塞装置の本体は前記側部進退機構とは異なる重量支持機構によって連結されていることを特徴とする請求項１ないし５のいずれかに記載の移動間仕切装置。
【発明の詳細な説明】
【技術分野】
【０００１】
本発明は、オフィス、会議室、ショールーム、店舗等の室内を所定の区画に仕切って使用するための移動間仕切装置に関する。
【背景技術】
【０００２】
オフィス、会議室、ショールーム、店舗等の室内は、天井に設けられたレール（誘導路）にローラを有する吊支部材を介して吊支され、該レールに沿って移動可能な間仕切パネルを連接して所定の区画に仕切って、所望の小区画のレイアウトを実現している。このような移動間仕切装置にあっては、最後の間仕切パネルに壁部との隙間を閉塞する側部閉塞部材を連接方向に進退自在な側部閉塞装置が設けられているものがあり、側部閉塞部材を壁部に対して押圧させることで隙間を閉塞し、光や音の漏れを防止できるようにしたものが知られている（特許文献１参照）。
【０００３】
特許文献１に示される間仕切パネルにおける側部閉塞装置は、上下方向に延びる円柱状の昇降ロッド（回動体）と、一端部同士が回動可能に連結されて横向きＶ字状を成した拡縮リンク部材と、拡縮リンク部材の一端部（互いに連結された端部）側に左右方向に長尺な板状の押圧体を介して接続された側部閉塞部材と、から構成されている。また、回動軸には、回動軸の周面に上下方向に離間して所謂右ネジ状の溝と左ネジ状の溝がそれぞれ形成されており、拡縮リンク部材の一対の他端部（互いに連結されていない端部）が各溝に螺合されている。これにより、回動軸を一方向に回動させると各溝に沿って拡縮リンク部材の各他端部が移動し、該他端部同士が近接することに伴い、拡縮リンク部材の一端部が回動軸から離間方向へと進出する。同様に、回動軸を他方向に回動させると拡縮リンク部材の他端部同士が離間するとともに、拡縮リンク部材の一端部が回動軸に近接方向へと後退する。これらのことから、回動体の回動に従動して、拡縮リンク部材の一端部に回動可能に軸支された押引体が側部閉塞部材を連接方向に押すまたは引くことで、側部閉塞部材は連接方向に進退動作可能となっている。
【先行技術文献】
【特許文献】
【０００４】
【特許文献１】実公平７−３５１０４号公報（第２，３頁、第４図）
【発明の概要】
【発明が解決しようとする課題】
【０００５】
しかしながら、特許文献１の間仕切パネルにおいては、回動軸を一回転させた際の拡縮リンク部材の他端部の移動距離が回動軸の溝一ピッチ分であることから、間仕切パネルと壁部との隙間を閉塞するためには回動軸を相当数回転させる必要があり、作業性が悪く労力を要するという問題があった。
【０００６】
本発明は、このような問題点に着目してなされたもので、少ない労力で間仕切パネルと壁部との隙間を閉塞可能な移動間仕切装置を提供することを目的とする。
【課題を解決するための手段】
【０００７】
前記課題を解決するために、本発明の移動間仕切装置は、
所定間隔離間して対向配置される一対のパネル部材を有し、天井に設けられる誘導路に一対の吊支部材を介して吊支され、該誘導路に沿って移動可能な複数の間仕切パネルと、側部閉塞部材を連接方向に進退可能に保持する側部閉塞装置と、を備え、連接された複数の前記間仕切パネルと前記側部閉塞部材とにより空間を仕切る移動間仕切装置であって、
前記側部閉塞装置は、前記パネル部材の面に沿って回動可能に軸支される複数の回動体と、複数の前記回動体それぞれの一端部が回動可能に軸支され複数の前記回動体を連結するリンク部材と、複数の前記回動体それぞれの他端部に回動可能に軸支され該複数の回動体の回動に応じて前記側部閉塞部材を前記連接方向に押すまたは引く押引手段と、を具備する側部進退機構を有していることを特徴としている。
この特徴によれば、パネル部材の面に沿って回動可能に軸支される一つの回動体を回動させることでリンク部材によって連結された他の回動体を連動させて側部閉塞部材を連接方向に押引するので、回動体を回す回転量が少なくなっている。また、各回動体において、回動体の軸支部分は、該回動体とリンク部材との軸支部分と、該回動体と押引手段との軸支部分と、の間に位置しており、各回動体と、リンク部材とによって平行リンクを成していることから、一つの回動体を回動させる際に、該一つの回動体の軸支部分から該一つの回動体とリンク部材との軸支部分までのモーメントアームの先端に作用する力と、該一つの回動体の軸支部分から該一つの回動体と押引手段との軸支部分までのモーメントアームの先端に作用する力とが同時に発生するとともに、各力のベクトルが略正対しているため、一方の力が他方の力の一部を相殺することとなり、該一つの回動体を軽い力で回動操作できる。これらのことから、少ない労力で間仕切パネルと壁部との隙間を閉塞可能である。
【０００８】
前記側部閉塞装置は、一対の前記パネル部材の間に配設され、
一つの前記回動体は、該回動体を回動操作するための操作部が前記パネル部材に露出していることを特徴としている。
この特徴によれば、一対のパネル部材の間に配設されることで美観性がよく、操作部がパネル部材に露出していることからアクセスが容易であるため、操作性が良い。
【０００９】
前記押引手段は、一端部が前記回動体の他端部に回動可能に軸支される複数のアーム体と、複数の前記アーム体それぞれの他端部が回動可能に軸支され該複数のアーム体の他端部と連動可能な押引体と、を有し、前記押引体は、前記側部閉塞部材と接続されていることを特徴としている。
この特徴によれば、アーム体によって側部閉塞部材を進出させる際の移動距離を確保できるとともに、回動体の軸支部分から該側部閉塞部材までの距離を短くすることができる。これにより、回動体の回動操作に必要な力を軽減することができる。
【００１０】
前記回動体の軸支部分、該回動体と前記アーム体との軸支部分、及び、該アーム体と前記押引体との軸支部分は、該回動体の回動に応じて少なくとも直線に並ぶことを特徴としている。
この特徴によれば、側部閉塞部材が進出された際に、回動体の軸支部分、該回動体とアーム体との軸支部分、及び、該アーム体と押引体との軸支部分が直線に並ぶ所謂デッドセンターに沿って並ぶ、または、デッドセンターを超えることにより、側部閉塞部材の水平方向への移動が規制されることから、側部閉塞部材が進出された状態を保持することができる。
【００１１】
前記押引手段と前記側部閉塞部材とは、間に緩衝部材を介在させて取り付けられていることを特徴としている。
この特徴によれば、側部閉塞部材が壁部に押圧される際に、確実に側部閉塞部材を壁部に沿って押圧させることができる。
【００１２】
前記側部閉塞部材と前記側部閉塞装置の本体は前記側部進退機構とは異なる重量支持機構によって連結されていることを特徴としている。
この特徴によれば、重量支持機構によって、側部閉塞部材の重量を側部閉塞装置の本体に主に負荷させることができるので、側部進退機構を軽い力で回動操作可能となっている。
【図面の簡単な説明】
【００１３】
【図１】本発明の実施例における移動間仕切装置を示す斜視図である。
【図２】移動間仕切装置により部屋を仕切った状態を示す概略図である。
【図３】最後尾の間仕切パネルの構造を示す分解斜視図である。
【図４】上部閉塞部材及び下部閉塞部材の収納状態を示す縦断面図である。
【図５】パネル本体に設置された側部閉塞装置を示す模式図である。
【図６】（ａ）は、収納状態における側部進退機構の一部を示す模式図であり、（ｂ）は、進出状態における側部進退機構の一部を示す模式図である。
【図７】（ａ）は、収納状態における側部閉塞装置を示す模式図であり、（ｂ）は、進出状態における側部閉塞装置を示す模式図である。
【図８】（ａ），（ｂ）は、最後尾の間仕切パネルによる天井、床、壁部との間の隙間の閉塞態様を示す模式図である。
【図９】（ａ），（ｂ）は、図８に引き続き、最後尾の間仕切パネルによる天井、床、壁部との間の隙間の閉塞態様を示す模式図である。
【図１０】（ａ）は、収納状態における側部閉塞装置を示す模式図であり、（ｂ）は、進出状態における側部閉塞装置を示す模式図である。
【発明を実施するための形態】
【００１４】
本発明に係る移動間仕切装置を実施するための形態を実施例に基づいて以下に説明する。
【実施例】
【００１５】
実施例に係る移動間仕切装置につき、図１から図９を参照して説明する。以下、図２の紙面手前側及び図４の紙面右側を移動間仕切装置の正面側（前方側）とし、その前方側から見たときの上下左右方向を基準として説明する。
【００１６】
間仕切パネル１は、例えば、オフィス、会議室、ショールーム、店舗等の建物内の室内を所定の区画に仕切るために用いられるものであり、図１，図２に示されるように、本実施例では、複数の間仕切パネル１，１，…，１Ａを組み合わせて移動間仕切装置１０を構成している。
【００１７】
移動間仕切装置１０は、室内空間の天井Ｒに設けられるレール３（誘導路）に沿って移動可能な一対の吊支部材９，９（図３参照）により上端が吊支される複数の間仕切パネル１，１，…と、側部閉塞装置２を有する最後尾の間仕切パネル１Ａと、から主に構成され、間仕切パネル１，１，…，１Ａをレール３に沿って図１において右側の側壁Ｗ’に設けられる移動規制端部Ｓ’側に所定の位置まで手動で順次移動させることによって、間仕切パネル１，１，…，１Ａを一列に連接させ、後述する上部閉塞部材１１及び下部閉塞部材１２がレール３及び床Ｆに向けて押し付けられるとともに、側部閉塞装置２の側部閉塞部材２０（図２参照）が側壁Ｗに設けられる移動規制端部Ｓ（壁部）に押し付けられることにより、天井Ｒから床Ｆに亘って室内空間を仕切ることができるようになっている。
【００１８】
尚、移動規制端部Ｓ，Ｓ’とは、移動間仕切装置１０を構成する間仕切パネル１，１，…，１Ａの内、先頭の間仕切パネル１、または、最後尾の間仕切パネル１Ａの側部閉塞部材２０が当接し、先頭の間仕切パネル１、または、最後尾の間仕切パネル１Ａの側部閉塞部材２０の移動を規制する端部を構成する所定の側壁部や支柱等のことである。
【００１９】
また、レール３には、収納レール３ａ，３ａが直交連結されており、収納レール３ａ，３ａは、間仕切パネル１，１Ａに固定された一対の吊支部材９，９と略同一寸法離間して配置されている。これにより、間仕切パネル１，１，…，１Ａを前後方向（連接方向に直交する方向）に並べて収納可能となっている。
【００２０】
次に、最後尾の間仕切パネル１Ａについて説明する。尚、他の間仕切パネル１の構成については、最後尾の間仕切パネル１Ａの構成と略同一態様であるため、重複する説明については省略する。
【００２１】
図３に示されるように、最後尾の間仕切パネル１Ａは、前後に間隔をおいて対向配置される一対のガラスパネル４，４（パネル部材）と、ガラスパネル４，４を一体に保持する枠部材５（上部フレーム６、縦フレーム７，７Ａ及び下部フレーム８）と、上部フレーム６または下部フレーム８に収納される上部閉塞部材１１または下部閉塞部材１２と、上部閉塞部材１１または下部閉塞部材１２に収納される上角部閉塞部材３１及び下角部閉塞部材３２と、上部閉塞部材１１及び下部閉塞部材１２を進退動作させる上部進退機構６５または下部進退機構８５（図７参照）と、から主に構成される二重ガラスパネル構造を成し、パネル材として透明のガラスパネル４，４が使用されることにより、間仕切パネル１，１，…，１Ａによって仕切られる室内空間の開放感を演出することができるとともに、強度や遮音性に優れている。尚、本実施例では、ガラスパネル４，４と枠部材５とが一体化されてパネル本体５０を構成している。
【００２２】
図３，図４を用いて、先ずガラスパネル４，４の構造について説明する。図４に示されるように、ガラスパネル４は、２枚の透明な板ガラス４１，４１を重合して強化された合わせガラスとなっている。尚、板ガラス４１，４１は、透明度の高いポリカーボネートやアクリル樹脂製を使用してもよい。
【００２３】
図３に示されるように、前方のガラスパネル４には貫通孔４ｂが形成されており、貫通孔４ｂは、後述する側部閉塞装置２のアクセス部Ｃ（後述する六角ボルト頭部）に位置合わせされている。
【００２４】
次に、枠部材５の構造について説明する。図３に示されるように、枠部材５は、ガラスパネル４，４の上端部に沿って取り付けられる上部フレーム６と、上端部が上部フレーム６の左右両端部に連結される一対の縦フレーム７，７Ａと、ガラスパネル４，４の下端部に沿って取り付けられ、左右両端部が一対の縦フレーム７，７Ａの下端部に連結される下部フレーム８と、から主に構成され、一対のガラスパネル４，４の上下左右端に沿って配置される、いわゆる四方枠形状を成している。
【００２５】
図４に示されるように、上部フレーム６は、長手方向に沿って設けられる上部チャンネル部６２を備えており、上部チャンネル部６２には、上部閉塞部材１１及び上部進退機構６５（図５参照）が収納されている。また、下部フレーム８は、上部フレーム６を上下に反転した形状と略同一形状であり、下部フレーム８の下部チャンネル部８２には、下部閉塞部材１２及び下部進退機構８５（図５参照）が収納されている。
【００２６】
図３に戻って、縦フレーム７は、最後尾の間仕切パネル１Ａの上下方向に延びる被覆部材７０と、該間仕切パネル１Ａの上下方向に延び被覆部材７０により被覆される芯部材７１と、から主に構成され、芯部材７１の上端部が上部フレーム６に、芯部材７１の下端部が下部フレーム８に、それぞれ一対のネジで固定される。尚、他の間仕切パネル１は、縦フレーム７，７が対向配置されている。
【００２７】
図３に示されるように、縦フレーム７Ａは、ガラスパネル４，４の上下方向に亘って延びる上面視コ字状のカバー部材７２と、カバー部材７２の右端部の一対のリブ状の短板間に配置されて端板により覆われる芯部材７１Ａと、から主に構成され、芯部材７１Ａの上端部が上部フレーム６に、芯部材７１Ａの下端部が下部フレーム８に、それぞれ一対のネジで固定される。
【００２８】
ここで、ガラスパネル４，４と縦フレーム７，７Ａとの連結について説明する。ガラスパネル４，４の内面と、縦フレーム７の被覆部材７０の側面とを透明な両面テープで貼付するとともに、前方のガラスパネル４の内面と、縦フレーム７Ａのカバー部材７２の側面とを透明な両面テープで貼付する。このようにしてガラスパネル４，４と縦フレーム７，７Ａとが固着されている。
【００２９】
また、図３に示されるように、カバー部材７２の前方の側板部には、前方のガラスパネル４の貫通孔４ｂと位置合わせされて貫通孔７２ｆが形成されており、ガラスパネル４，４と縦フレーム７，７Ａとが固着され、貫通孔７２ｆと貫通孔４ｂとが連通することで、アクセス部Ｃ（操作部）にアクセス可能なアクセス孔Ｈが形成される。尚、直接の図示は省略するが、アクセス部Ｃの操作を行うとき以外は、アクセス孔Ｈにキャップが装着され、アクセス部Ｃの保護がなされている。
【００３０】
次に、上部閉塞部材１１及び下部閉塞部材１２について説明する。図４，図５に示されるように、上部閉塞部材１１は、上部フレーム６と略同一寸法で左右方向に延びており、側方から見て下向きコ字形状を成している。下部閉塞部材１２は、上部閉塞部材１１を上下反転した形状と略同一形状であるため、その説明を省略する。
【００３１】
図５に示されるように、上部閉塞部材１１は、上部フレーム６の上部チャンネル部６２に収納された状態において、パネル本体５０よりも右側（間仕切り位置への進行方向）に向かって右端部（一方の先端部）が突出し、下部閉塞部材１２も同様に、パネル本体５０よりも右側（間仕切り位置への進行方向）に向かって右端部（先端部）が突出する。
【００３２】
図８及び図９に示されるように、上部閉塞部材１１及び下部閉塞部材１２は、隣接する間仕切パネル１の側端部に押圧されることにより、上部進退機構６５または下部進退機構８５によってレール３及び床Ｆに対して進退動作するようになっている。尚、上部閉塞部材１１及び下部閉塞部材１２を進退動作させる上部進退機構６５または下部進退機構８５は、捻りコイルバネ、または捻りコイルバネ及びリンク部材を組み合わせたリンク機構等により構成されている。
【００３３】
次に、側部閉塞装置２について説明する。図５に示されるように、側部閉塞装置２は、カバー部材７２内の収納部７２ｄに収納可能な側部閉塞部材２０と、縦フレーム７Ａの芯部材７１Ａに固定されるベース杆２３（側部閉塞装置の本体）と、ベース杆２３に固定され側部閉塞部材２０を左右方向に押動または引動させる側部進退機構２５と、側部閉塞部材２０とベース杆２３との間に介在し当該側部閉塞部材２０を支持する二つのリンク機構３５，３５（重量支持機構）と、から構成されており、側部進退機構２５の進退動作に応じて側部閉塞部材２０を進退可能となっている。
【００３４】
図５に示されるように、側部閉塞部材２０は、ガラスパネル４，４の上下方向に亘って延び芯部材７１Ａ側（右側）に開口する上面視コ字状に形成された本体部材２１の底部の内側に支持杆２２が固定されており、上面視移動規制端部Ｓ側（左側）に開口するカバー部材７２の内部に連接方向（左右方向）に移動可能に収納されている。また、支持杆２２には側部進退機構２５及び各リンク機構３５，３５が連結されている。
【００３５】
支持杆２２は、上下方向に長尺な角パイプ状の部材であり、支持杆２２の側端部には、取付片２２ａ，２２ａが上部及び下部それぞれに溶接固定されており、取付片２２ａ，２２ａにはリンク機構３５が回動可能に取り付けられている。また、図５のＡ−Ａ矢視図を吹出し内に示すように、支持杆２２の前後の側面部には、上面視柄杓形状に形成された二つの板材が、各短板部を芯部材７１Ａ側で対向配置させた状態で固定されており、二つの板材に囲まれた空間内を押引体２６が左右方向に移動可能かつ芯部材７１Ａ側への移動は短板部である規制部２２ｂにより規制可能となっている。
【００３６】
ベース杆２３は、上下方向に長尺なＣ字チャンネル杆状の部材であり、上下方向に亘って形成されたスリットが移動規制端部Ｓ側に向けて配置された状態で、ボルトナットにより芯部材７１Ａに固定されている。
【００３７】
また、ベース杆２３の側面部には、上下方向略中央部に上下方向に離間した第１取付片２３ａ，２３ａと、第１取付片２３ａ，２３ａよりも上端部側または下端部側に位置した第２取付片２３ｂ，２３ｂと、第２取付片２３ｂ，２３ｂそれぞれの下方にてベース杆２３の板状の支持板２３ｃ，２３ｃとが溶接固定されており、第１取付片２３ａ，２３ａには側部進退機構２５が、第２取付片２３ｂ，２３ｂにはリンク機構３５，３５が、それぞれ回動可能に軸支され、支持板２３ｃ，２３ｃにはリンク機構３５，３５のローラ３８，３８（図７参照）が押圧される。
【００３８】
次いで、側部進退機構２５について説明をする。図５に示されるように、側部進退機構２５は、上下方向に長尺な押引体２６と、該押引体２６と支持杆２２との間に介在する複数の緩衝部材３３，３３，…と、ベース杆２３に回動可能に軸支される上下一対のレバー２７，２７（回動体）と、該レバー２７及び押引体２６それぞれに回動可能に取り付けられる板状の長尺部材であるアーム体２８，２８と、レバー２７，２７それぞれに回動可能に軸支される上下方向に長尺なパイプ状のリンク部材２９と、から構成されている。尚、本実施例における押引手段は、押引体２６と、アーム体２８，２８と、複数の緩衝部材３３，３３，…と、から構成されている。
【００３９】
押引体２６は、支持杆２２よりも短尺な角パイプ状の部材であり、上部と下部から芯部材７１Ａ側にそれぞれ突出しアーム体２８，２８が回動可能に取り付けられる取付部２６ａ，２６ａを有している。
【００４０】
図５のＡ−Ａ矢視図を吹出し内に示すように、緩衝部材３３は、左右方向に付勢するコイル状の圧縮バネ３３ａと、該圧縮バネ３３ａに軸通されるボルト形状の軸芯３３ｂと、から構成されており、押引体２６の支持杆２２側の側端部に軸芯３３ｂの一端部が押引体２６に螺着されている。一方、軸芯３３ｂの他端部は、支持杆２２の押引体２６側の側端部を左右方向に貫通する貫通孔２２ｃに挿通されており、軸芯３３ｂは、該貫通孔２２ｃを通じて左右方向に移動可能となっている。
【００４１】
また、押引体２６は、圧縮バネ３３ａの付勢力や後述するアーム体２８による引動により、押引体２６が芯部材７１Ａ側に移動しても規制部２２ｂ，２２ｂに接触するため、貫通孔２２ｃから軸芯３３ｂから脱落することがなく、支持杆２２から離脱することが防止されている。
【００４２】
図６に示されるように、レバー２７は、正面視略鈍角三角形状に形成されており、鈍角に形成された第１角部２７ａを前後方向に貫通する貫通孔と、ベース杆２３の第１取付片２３ａを前後方向に貫通する貫通孔と、に挿通された六角ボルトにナットが螺着されることで、第１取付片２３ａに回動可能に軸支されている。また、六角ボルトの頭部は、レバー２７に対して相対的に回動しないように当該レバー２７に固定されており、下方のレバー２７の六角ボルトの頭部は、アクセス孔Ｈを介して前方のガラスパネル４に露出するアクセス部Ｃである。
【００４３】
第１角部２７ａから最も離間した第２角部２７ｂ（他端部）と、アーム体２８の一端部２８ａとがそれぞれ回動可能に軸支されている。さらに、上方のレバー２７の第３角部２７ｃはリンク部材２９の上端部２９ａ（図５参照）に、下方のレバー２７の第３角部２７ｃはリンク部材２９の下端部２９ｂに、それぞれ回動可能に軸支されることでリンク部材２９を介して連結されており、レバー２７，２７はリンク部材２９によって連動して回動する。
【００４４】
また、上方のアーム体２８の他端部２８ｂは押引体２６の上方の取付部２６ａ（図５参照）に、下方のアーム体２８の他端部２８ｂは押引体２６の下方の取付部２６ａに、それぞれ回動可能に取り付けられている。これらにより、側部進退機構２５が構成されるとともに、側部閉塞部材２０とベース杆２３とに側部進退機構２５が連結された状態となる。
【００４５】
尚、以降の説明において、図６，図７に示されるように、レバー２７の第１角部２７ａの軸支部分を第１軸支部Ｐ１、第２角部２７ｂの軸支部分を第２軸支部Ｐ２、アーム体２８の他端部２８ｂの軸支部分を第３軸支部Ｐ３、第３角部２７ｃの軸支部分を第４軸支部Ｐ４とする。
【００４６】
下方に位置する、レバー２７、アーム体２８及び押引体２６の取付部２６ａにおいて、第１軸支部Ｐ１と第３軸支部Ｐ３とは、略同一の高さ位置に配置されている。上方のレバー２７、アーム体２８及び押引体２６の取付部２６ａについても同様である。
【００４７】
また、リンク部材２９は、移動規制端部Ｓ側の側端部側がベース杆２３のスリットを通じて当該移動規制端部Ｓ側に進出した状態でベース杆２３の空隙に挿嵌されており、リンク部材２９がレバー２７，２７の回動に応じて上下方向に移動する際にスリットを形成するベース杆２３の側端部と当接することで移動の案内がなされる。これによって、リンク部材２９の上下方向への移動が安定する。
【００４８】
また、第１軸支部Ｐ１は、第２軸支部Ｐ２と第４軸支部Ｐ４との間に位置しており、換言すれば、第２軸支部Ｐ２は、第１軸支部Ｐ１を間に挟んで第４軸支部Ｐ４の反対側に位置している。さらに、各レバー２７，２７と、リンク部材２９とが平行リンクを成している（図７（ａ）参照）。
【００４９】
次いで、リンク機構３５，３５について下方のリンク機構３５を例に説明し、以降の説明において特に断らない限り、上方のリンク機構３５の説明については省略する。図７に示されるように、リンク機構３５は、長尺の第１リンク部３６と、短尺の第２リンク部３７と、から構成され、第２リンク部３７の一端部３７ａは、第１リンク部３６の長尺方向略中央部に回動可能に軸支され、横向き略入字状を成している。また、第２リンク部３７の他端部３７ｂは、ベース杆２３の第２取付片２３ｂに回動可能に軸支されている。
【００５０】
第１リンク部３６の一端部３６ａには、回動可能に軸支されたローラ３８が設けられている。ローラ３８は、ベース杆２３の支持板２３ｃに押圧されており、第１リンク部３６の傾きに応じて支持板２３ｃに押圧されながら回転し、上方または下方に移動可能となっている。また、第１リンク部３６の他端部３６ｂは、支持杆２２の取付片２２ａに回動可能に軸支されている。
【００５１】
このように、側部閉塞部材２０とベース杆２３とはリンク機構３５によって連結されており、このときの第１リンク部３６の他端部３６ｂと第２リンク部３７の一端部３７ａとは、略同一の高さ位置に配置されている。
【００５２】
次に、図６〜図９を用いて、最後尾の間仕切パネル１Ａによる間仕切パネル１，１，…，１Ａと移動規制端部Ｓ、天井及び床との隙間の閉塞動作について説明する。尚、以降の説明において、特に断らない限り、下方に位置する、レバー２７、アーム体２８及び押引体２６の取付部２６ａを例に説明する。先ず、図８（ａ）に示されるように、側部閉塞装置２の側部閉塞部材２０が収納状態にある最後尾の間仕切パネル１Ａを隣接する間仕切パネル１と移動規制端部Ｓとの間へと移動する。このとき、上部閉塞部材１１及び下部閉塞部材１２は隣接する間仕切パネル１の側端部に当接している。
【００５３】
また、側部閉塞部材２０の収納状態において、図６（ａ），図７（ａ）に示されるように、第２軸支部Ｐ２が第１軸支部Ｐ１の略垂直下方に位置しており、第１角部２７ａと第３角部２７ｃとの間の側端部２７ｄ（図６（ａ）参照）には、ベース杆２３の第１取付片２３ａに溶接固定されたピン状の第１ストッパ９８ａ（図６（ａ）参照）が当接し、レバー２７の反時計回り方向への回動が規制されている。このとき、レバー２７とアーム体２８とは、正面視略Ｖ字状を成し、本実施例において第１軸支部Ｐ１から第３軸支部Ｐ３までの左右方向の寸法が最短となっている。押引体２６及び側部閉塞部材２０もレバー２７側に配置されているため、側部閉塞部材２０はカバー部材７２内の収納部７２ｄに収納された状態となっている（図７（ａ）参照）。
【００５４】
また、側部閉塞部材２０の収納状態においてリンク機構３５は、第１リンク部３６の他端部３６ｂと第２リンク部３７の他端部３７ｂとの間の角度が９０度未満となっている。
【００５５】
また、側部閉塞部材２０の収納状態において、アクセス部Ｃに取り付けたハンドル（図示略）を操作して下方のレバー２７を時計回り方向に回動させると、リンク部材２９を介して上方のレバー２７も時計回り方向に回動され、各第２軸支部Ｐ２，Ｐ２が時計回り方向に移動する。これに伴い、第２軸支部Ｐ２，Ｐ２が移動した水平方向の距離分、押引体２６が移動規制端部Ｓ側に移動する。これにより、側部閉塞部材２０は押引体２６に押動され、図８（ｂ）に示されるように、側部閉塞部材２０は移動し、その側端部が移動規制端部Ｓに当接する。
【００５６】
このとき、図６（ａ）に示されるように、第１軸支部Ｐ１から第４軸支部Ｐ４までのモーメントアームの先端に作用する矢印で示した力Ｖ１（一方の力）と、第１軸支部Ｐ１から第２軸支部Ｐ２までのモーメントアームの先端に作用する矢印で示した力Ｖ２（他方の力）とが同時に発生するとともに、力Ｖ１が第４軸支部Ｐ４を下降させる方向に作用し、力Ｖ２が第２軸支部Ｐ２を上昇させる方向に作用する。
【００５７】
このように、力Ｖ１，Ｖ２のベクトルが第１軸支部Ｐ１を基準として略正対していることから、力Ｖ１が力Ｖ２の一部を相殺することとなり、下方のレバー２７を軽い力で回動操作できる。これらのことから、少ない労力で間仕切パネル１Ａと移動規制端部Ｓとの隙間を閉塞可能である。
【００５８】
また、リンク機構３５，３５によって、側部閉塞部材２０の重量をベース杆２３（図７参照）に主に負荷させることができるので、側部進退機構２５のレバー２７を軽い力で回動操作可能となっている。
【００５９】
また、側部進退機構２５は、平行リンクを形成していることから、側部進退機構２５による側部閉塞部材２０の押動または引動の際に、押引体２６に対して略均等に力を作用させることができるとともに、押引体２６（第３軸支部Ｐ３，Ｐ３）を第１軸支部Ｐ１，Ｐ１に対して略平行に移動させることができる。
【００６０】
また、リンク機構３５は、第１リンク部３６の他端部３６ｂが第２リンク部３７の他端部３７ｂに対して左右方向に相対移動する際に、第１リンク部３６の他端部３６ｂが略直線状に略水平方向に移動する。このことから、上下のリンク機構３５，３５は、本体部材２１の移動を略水平方向に案内することができる。
【００６１】
また、図６に示されるように、レバー２７，２７と押引体２６との間にアーム体２８，２８が介在しているため、アーム体２８，２８によって側部閉塞部材２０を進出させる際の移動距離を確保できるとともに、第１軸支部Ｐ１から第３軸支部Ｐ３（側部閉塞部材２０）までの距離を短くすることができる。これにより、レバー２７の回動操作に必要な力を軽減することができる。
【００６２】
ハンドルを操作してアクセス部Ｃの回動を続けると、側部閉塞部材２０の移動規制端部Ｓ側への移動は、該移動規制端部Ｓによって規制されていることから、パネル本体５０側が隣接する間仕切パネル１側へと移動する。これに伴い、上部閉塞部材１１及び下部閉塞部材１２それぞれの側端部が隣接する間仕切パネル１の側端部に押圧されることから、図９（ａ）に示されるように、上部閉塞部材１１及び下部閉塞部材１２が天井Ｒまたは床Ｆに向かって進出し、当接する。
【００６３】
側部進退機構２５による進出駆動が進むにつれ、第１リンク部３６の他端部３６ｂと第２リンク部３７の他端部３７ｂとが離間し、第１リンク部３６の他端部３６ｂと第２リンク部３７の他端部３７ｂとの間の角度が９０度を超え、側部閉塞部材２０の重量Ｗ１によって当該側部閉塞部材２０を進出させる方向への力が大きくなる。
【００６４】
このように、リンク機構３５は、第１リンク部３６の他端部３６ｂと第２リンク部３７の他端部３７ｂとの間の角度が９０度以下のときは、重量Ｗ１により側部閉塞部材２０を後退させる力を生じさせ、一方、角度が９０度よりも大きくなると重量Ｗ１により側部閉塞部材２０を進出させる力を生じさせるようになっている。
【００６５】
パネル本体５０が移動し、図６（ｂ），図７（ｂ）に示されるように、ハンドルを回動させた角度が９０度に達すると、レバー２７及びアーム体２８は、第２軸支部Ｐ２が第１軸支部Ｐ１及び第３軸支部Ｐ３と略同一高さ位置に移動することで、第１軸支部Ｐ１、第２軸支部Ｐ２及び第３軸支部Ｐ３と共に略直線を成し、第１軸支部Ｐ１から第３軸支部Ｐ３までの左右方向の寸法が最長となる。これにより、図９（ｂ）に示されるように、側部閉塞部材２０は、押引体２６に押動されることで移動し、移動規制端部Ｓに押圧され、進出状態となる。また、第１軸支部Ｐ１、第２軸支部Ｐ２及び第３軸支部Ｐ３が直線に並ぶ所謂デッドセンターに沿って並ぶことにより、レバー２７、アーム体２８、押引体２６の水平方向への移動が規制され、側部閉塞部材の水平方向への移動が規制されることから、側部閉塞部材２０の進出状態を保持することができる。このようにして、最後尾の間仕切パネル１Ａにより間仕切パネル１，１，…，１Ａと移動規制端部Ｓ、天井及び床との隙間を閉塞することができる。
【００６６】
また、側部閉塞部材２０の進出状態において、第２軸支部Ｐ２が略水平方向かつ移動規制端部Ｓ側へと移動し、第１角部２７ａと第２角部２７ｂとの間の側端部２７ｅは、ベース杆２３の第１取付片２３ａに溶接固定されたピン状の第２ストッパ９８ｂ（図６（ｂ）参照）に当接することで、レバー２７がそれ以上時計回り方向に回動しないように規制される。すなわち、レバー２７は、第１ストッパ９８ａ（図６（ａ）参照）及び第２ストッパ９８ｂによって、その回動可能な範囲が略９０度に制限されている。
【００６７】
尚、本実施例のように、レバー２７の回動可能な範囲が略９０度に制限されている態様であれば、第１軸支部Ｐ１を中心とする第２軸支部Ｐ２と第４軸支部Ｐ４との間の角度を９０度以上、すなわちレバー２７の回動角度以上とすることで、レバー２７の当該回動可能な範囲内であれば、第１軸支部Ｐ１を挟んで第２軸支部Ｐ２及び第４軸支部Ｐ４が配置される。これにより、リンク部材２９に接続される第４軸支部Ｐ４の接続構造が簡単となる。これらのことから、第１軸支部Ｐ１を中心とした第２軸支部Ｐ２と第４軸支部Ｐ４との間の角度は、レバー２７の回動可能な角度よりも大きく、かつ、１８０度以下であればよい。
【００６８】
また、側部閉塞部材２０を進出状態とした際に、側部閉塞部材２０と押引体２６との間で、緩衝部材３３の圧縮バネ３３ａが押圧・圧縮されるため、側部閉塞部材２０を移動規制端部Ｓへ押圧させるための押圧力を確実に発生させることができる。
【００６９】
また、例えば移動規制端部Ｓが垂直方向よりも僅かに傾斜しているような状態であっても、緩衝部材３３の圧縮バネ３３ａ（図５参照）が圧縮され当該側部閉塞部材２０の側端部は傾動するため、確実に側部閉塞部材２０を移動規制端部Ｓに沿って押圧させることができる。
【００７０】
また、リンク機構３５は側部閉塞部材２０を進出させる力を作用させているため、意図せず側部閉塞部材２０が後退することが防止されている。
【００７１】
また、逆の手順を行うことで、図７（ａ）に示されるように、押引体２６がレバー２７側へと移動する。このとき、押引体２６によって支持杆２２の規制部２２ｂ，２２ｂが引動され、側部閉塞部材２０は収納状態となる。
【００７２】
また、レバー２７を反時計回り方向に回動させようとすると、図６（ｂ）に示されるように、下方のレバー２７を時計回り方向に回動させる際とは逆に、第１軸支部Ｐ１から第４軸支部Ｐ４までのモーメントアームの先端に作用する矢印で示した力Ｖ３（一方の力）と、第１軸支部Ｐ１から第２軸支部Ｐ２までのモーメントアームの先端に作用する矢印で示した力Ｖ４（他方の力）とが同時に発生し、力Ｖ３が力Ｖ４の一部を相殺するため、下方のレバー２７を軽い力で回動操作できる。
【００７３】
また、側部進退機構２５による後退駆動が進むにつれ、進出駆動の際とは逆に、第１リンク部３６の他端部３６ｂと第２リンク部３７の他端部３７ｂとの間の角度が９０度未満となり、側部閉塞部材２０の重量Ｗ１によって当該側部閉塞部材２０を後退させる方向への力が大きくなる。
【００７４】
以上説明してきたように、本実施例の移動間仕切装置１０は、側部閉塞装置２が一対のガラスパネル４，４の間に配設されることで美観性がよく、アクセス部Ｃがガラスパネル４，４に露出していることからアクセスが容易であるため、操作性が良い。
【００７５】
また、枠部材５は上部フレーム６、一対の縦フレーム７，７Ａ及び下部フレーム８が一体に連結されて構成ており、枠部材５の構造強度を確保しながら、上部フレーム６、一対の縦フレーム７，７Ａ及び下部フレーム８によって囲まれる領域における、ガラスパネル４，４のパネル面の領域が相対的に大きくなり、ガラスパネル４，４のパネル面の領域を広くとることで見栄えが良く、且つ視認性が良くなるので室内空間に開放感を演出することができる。
【００７６】
次に、図１０を用いて、重量支持機構の変形例について説明する。尚、前記実施例に示される構成部分と同一構成部分に付いては同一符号を付して重複する説明を省略する。
【００７７】
前記実施例の重量支持機構は、リンク機構３５，３５である態様として説明したが、本変形例にあっては、図１１に示されるように、ローラ機構１３５，１３５が重量支持機構として構成されている。ローラ機構１３５は、支持杆２２に溶接固定された側面視直角三角形状の走行体１３６と、ベース杆２３に溶接固定されたベース体１３７と、から構成されている。
【００７８】
走行体１３６は、略直角部分から上方に延びる側端部が支持杆２２に溶接固定されるとともに、該略直角部分から略水平方向にベース杆２３側に延びる下端部の先端側には、略垂直下方に突出して左右一対の走行ローラ１３８，１３８が回動可能に軸支されている。ベース体１３７は、略直角部分から下方に延びる側端部がベース杆２３に溶接固定されており、該略直角部分から略水平方向に支持杆２２側に延びる上端部を、走行体１３６の走行ローラ１３８，１３８が転動しながら移動可能となっている。尚、走行ローラ１３８，１３８はベース体１３７に回動可能に軸支される態様であってもよい。
【００７９】
これにより、側部閉塞部材２０の重量が走行体１３６を介してベース体１３７に支持される。また、側部閉塞部材２０の進退動作の際には、走行体１３６がベース体１３７に支持されたまま該ベース体１３７上を走行ローラ１３８，１３８が転動することで、走行体１３６がベース体１３７に対して相対移動することができる。すなわち、ローラ機構１３５によって、側部閉塞部材２０の重量を側部閉塞装置２のベース杆２３に主に負荷させることができるので、側部進退機構２５を軽い力で回動操作可能となっている。
【００８０】
以上、本発明の実施例を図面により説明してきたが、具体的な構成はこれら実施例に限られるものではなく、本発明の要旨を逸脱しない範囲における変更や追加があっても本発明に含まれる。
【００８１】
例えば、前記実施例では、側部閉塞装置２を有する間仕切パネル１Ａは、最後尾に配置される態様として説明したが、これに限らず、先頭や間仕切パネル１，１の間等、その配置は適宜変更されてもよい。また、他の間仕切パネルに関しては、本実施例における最後尾の間仕切パネル１Ａの構成と略同一態様であることに限らず、例えば、梯子状の枠体にパネル部材が貼り付けられたものでもよく、適宜選択されればよい。
【００８２】
側部閉塞装置２は、最後尾の間仕切パネル１Ａのガラスパネル４，４の間に配置されている態様として説明したが、これに限らず、側壁Ｗに沿って室内側や、側壁Ｗ内に配置され、最後尾の間仕切パネルに向けて側部閉塞部材を進退動作させる態様であってもよい。
【００８３】
また、側部閉塞装置の本体は、ベース杆２３である態様として説明したが、これに限らず、縦フレーム７Ａが本体であってもよい。
【００８４】
レバー２７は、鈍角三角形状に形成されている態様として説明したが、これに限らず、第１軸支部Ｐ１が第２軸支部Ｐ２及び第３軸支部Ｐ３によって挟まれるように配置されているのであれば、略円状や他の多角形状に形成されていてもよい。
【００８５】
側部進退機構２５は、ハンドルを操作してレバー２７を時計回りに回動し、側部閉塞部材２０が進出状態である際に、第１軸支部Ｐ１、第２軸支部Ｐ２及び第３軸支部Ｐ３が略直線を成している態様であるとして説明したが、これに限らず、側部閉塞部材２０が移動規制端部Ｓに押圧され、かつ、第１軸支部Ｐ１、第２軸支部Ｐ２及び第３軸支部Ｐ３が略直線を成した後であれば、第２軸支部Ｐ２が第１軸支部Ｐ１の上方側へと移動し、レバー２７とアーム体２８とが山型状に配置された状態、すなわち、デッドセンターを超えた状態でレバー２７の回動が規制されてもよい。この態様であっても、側部閉塞部材２０を後退方向に移動規制端部Ｓ側から押圧する力が作用すると、第２軸支部Ｐ２はさらに時計回りに回動しようとするものの、レバー２７の回動が規制されているため、第２軸支部Ｐ２の時計回りへの回動も規制されることから、側部閉塞部材２０が進出された状態を保持することができる。
【００８６】
また、側部進退機構２５は、側部閉塞部材２０が収納状態である際に、レバー２７とアーム体２８とが正面視略Ｖ字状を成しており、レバー２７を時計回りに回動させることで側部閉塞部材２０を進出させることができる態様として説明したが、レバー２７とアーム体２８とが正面視略下向きＶ字状を成していてもよく、この態様であればレバー２７を反時計回りに回動させることで側部閉塞部材２０を進出させることができる。さらに、アーム体２８，２８と押引体２６との間に回動可能に軸支された別のアーム体が介在されていてもよい。すなわち、押引手段を含めて側部進退機構２５の構造については、適宜変更されてもよい。
【００８７】
パネル部材は、ガラスパネル４，４である態様として説明したが、これに限らず、木板や不透明に着色された樹脂製の板等、不透明のものが適宜使用されてもよい。また、各ガラスパネルの左右方向の寸法は適宜変更されてもよく、その構成が限定されるものではない。
【符号の説明】
【００８８】
１，１Ａ          間仕切パネル
２                側部閉塞装置
３                レール（誘導路）
４                ガラスパネル（パネル部材）
９                吊支部材
１０              移動間仕切装置
２０              側部閉塞部材
２３              ベース杆（側部閉塞装置の本体）
２５              側部進退機構
２６              押引体
２７              レバー（回動体）
２７ｂ            第２角部（他端部）
２７ｃ            第３角部（一端部）
２８              アーム体
２８ａ            一端部
２８ｂ            他端部
２９              リンク部材
３３              緩衝部材
３５              リンク機構（重量支持機構）
１３５            ローラ機構（重量支持機構）
Ｃ                アクセス部（操作部）
Ｆ                床
Ｖ１              力（一方の力）
Ｖ２              力（他方の力）
Ｖ３              力（一方の力）
Ｖ４              力（他方の力）
Ｐ１              第１軸支部（回動体の軸支部分）
Ｐ２              第２軸支部（回動体とアーム体との軸支部分）
Ｐ３              第３軸支部（アーム体と押引体との軸支部分）
Ｐ４              第４軸支部（回動体とリンク部材との軸支部分）
Ｒ                天井
Ｓ                移動規制端部（壁部）
【図１】
2019143338.tif 000003
【図２】
2019143338.tif 000004
【図３】
2019143338.tif 000005
【図４】
2019143338.tif 000006
【図５】
2019143338.tif 000007
【図６】
2019143338.tif 000008
【図７】
2019143338.tif 000009
【図８】
2019143338.tif 000010
【図９】
2019143338.tif 000011
【図１０】
2019143338.tif 000012